(57)【要約】  ドアが閉められたときに、ドアの敷居に対してシーリング部材をシーリング位置の中に垂直に下方へ動かすための、ドアを閉めることに応答するアクチュエータ（２８）を有する自動ドア底部ドロップ・ダウン・シール。アクチュエータは、シールハウジングの溝（２４）内部でスライド可能なブロック（２６）に接続されたアーム（３４）を含む。アーム（３４）は、下方へ回転して、シーリング部材（４０）に下方への圧力を与えるように、スライドブロック（２６）に回転可能に接続される。【選択図】図５
2013536909.tif 000002
【特許請求の範囲】
【請求項１】
閉められたときにドアの敷居にわたり回転可能な開き戸用ドロップ・ダウン・シールであって、ドア底部は：
前記ドア底部の幅に対応する長さを有するシーリング部材；
前記ドアが閉められたときに、前記ドアの敷居に対して前記シーリング部材をシーリング位置の中に垂直に下方へ移動させるための、前記ドアを閉めることに応答するアクチュエータ；
を備え、前記アクチュエータは、前記ドアの前記底部に隣接して配置可能な溝内部に配置された複数の要素を備え、前記要素は、前記溝に沿ってスライド可能な少なくとも１つのスライドブロックを備え、かつ回転可能なアームを有し、前記アームの一端が前記ブロックの下面に接続され、前記アームの他端が前記シーリング部材に接続され、前記アームは、前記ブロックが前記溝に沿ってある位置までスライドするときに回転可能であり、それによって、前記アームは、前記ブロックおよび前記シーリング部材の間に下方へ伸び、それによって、使用中に下方への圧力を前記シーリング部材に与え、維持するドロップ・ダウン・シール。
【請求項２】
前記アームは、使用中に前記ブロックおよび前記シーリング部材の間でほぼ垂直な位置まで回転し、それによって、前記シーリング部材に下方への圧力を与え、前記シーリング部材を下方へ移動させる、請求項１に記載のシール。
【請求項３】
前記溝は、細長い逆Ｕ字型ハウジング内部に形成される、請求項１または２に記載のシール。
【請求項４】
前記アームは、前記スライドブロックの下面に固定されたＣ字型ブラケットに接続される、請求項１〜３のうちいずれか一項に記載のシール。
【請求項５】
前記ブラケットの各アームが、前記２つのアームの両端に伸びるピンを収容するための、前記ブラケットの前部に配置された開口を有する、請求項４に記載のシール。
【請求項６】
前記アームは前記ピンを中心に回転可能である、請求項５に記載のシール。
【請求項７】
前記ピンの回転中心点が、前記ブロックの前縁の前方にある、請求項６に記載のシール。
【請求項８】
前記シーリング部材は、細長いブレード、およびシールを備える、請求項１〜７のうちいずれか一項に記載のシール。
【請求項９】
前記ブレードはアルミニウムから作られる、請求項８に記載のシール。
【請求項１０】
前記シールはゴムから作られる、請求項８または９に記載のシール。
【請求項１１】
前記ドアを閉める動作により押し下げられるアクチュエータボタンをさらに備え、前記ボタンは、押し下げられると、前記溝内部の前記スライドブロックのスライド可能な動きを引き起こす、請求項３に記載のシール。
【請求項１２】
前記溝要素は、前記溝内部の位置に固定された少なくとも１つのブロックをさらに備える、請求項１〜１１のうちいずれか一項に記載のシール。
【請求項１３】
前記溝要素は、２つのスライドブロックおよび２つの固定されたブロックを備える、請求項１２に記載のシール。
【請求項１４】
両方のスライドブロックが、回転するアームを保持する、請求項１３に記載のシール。
【請求項１５】
前記スライドブロックは、前記第１のスライドブロックの動きが、前記その他のスライドブロックに動きを与えるように、ロッドを介して一緒に接続される、請求項１４に記載のシール。
【請求項１６】
前記アームは、ポリプロピレンなどの合成プラスチック材料から作られる、請求項１から１５のうちいずれか一項に記載のシール。
【請求項１７】
前記アームは、可撓性のあるジョイントにより分割された２つのセクションの形で形成される、請求項１６に記載のシール。
【請求項１８】
前記ジョイントは熱可塑性エラストマーから構築される、請求項１７に記載のシール。
【請求項１９】
閉められたときにドアの敷居にわたり回転可能な開き戸用ドロップ・ダウン・シールであって、ドア底部は：
前記ドア底部の幅に対応する長さを有するシーリング部材；
前記ドアが閉められたときに、前記ドアの敷居に対して前記シーリング部材をシーリング位置の中に垂直に下方へ移動させるための、前記ドアを閉めることに応答するアクチュエータ；
を備え、前記アクチュエータは、可撓性のあるジョイントにより分割される２つのセクションを有し、かつ溝内部をスライド可能な少なくとも１つのアーム部材を備え、前記アームの一方のセクションが、前記シーリング部材に一端で固定され、それにより、前記アームの前記セクションは、前記アームが前記溝に沿ってスライドするときに下方へ屈曲して、下方への圧力を前記シーリング部材に対して与えるシール。
【請求項２０】
実質的に、上記に説明され、添付図面で参照されたようなシール。
【発明の詳細な説明】
【技術分野】
【０００１】
本発明は、自動ドア底部ドロップ・ダウン・シールに関する。特に、本発明は、シールに下方への力を与え、かつ使用中の上方への圧力に耐えるシーリング機構に関する。
【背景技術】
【０００２】
自動ドア底部シールは公知である。非常に成功した自動ドア底部ドロップ・ダウン・シールが、米国特許第６，１２５，５８４号明細書に開示されている。
【０００３】
米国特許第６，１２５，５８４号明細書に記載されているシール機構の１つの欠点が、床に対してシールを押しつけて保持するために、使用中に下方への圧力が与えられず、かつシールに対して維持されないことである。むしろ、上方への圧力に対してほとんど耐えない平坦な板ばねの屈曲により、Ｈ字型ハウジングが下げられる。
【０００４】
使用する際、Ｈ字型ハウジングは、下方へ沈んで、床に対して静止して、すきま風の障壁の点でかなり効果的な場合もあるが、音響特性がほとんどまたはまったくないことがあるシールを形成する。さらに、いくつかのシールセクションが、平坦でない床全体に伸びているとき、床およびシール底部の間の間隙が、ドアの長さに沿ってさまざまな地点で必然的に形成される。
【０００５】
本発明は、使用する際にシールを床にしっかりと保持するために、使用中にシールハウジングに下方への圧力を連続的に与える機構を提供することにより、前述の自動ドア底部ドロップ・ダウン・シールの改善を提供しようと努める。
【先行技術文献】
【特許文献】
【０００６】
【特許文献１】米国特許第６，１２５，５８４号明細書
【特許文献２】米国特許出願公開第２００９／００７７８９５号明細書
【発明の概要】
【発明が解決しようとする課題】
【０００７】
米国特許出願公開第２００９／００７７８９５号明細書が、シールハウジングを床に対して下方へ保持するために回されるハンドルを備えるドロップ・ダウン・シールを開示している。しかしながら、ハンドルの使用は、面倒であり、一般に、ドアが閉められるたびに、かがんで、ドアの底部に位置するハンドルを回すことを望まない利用者にとって面倒であり、望ましくない。
【課題を解決するための手段】
【０００８】
本発明の一様態によれば、閉められたときにドアの敷居にわたり回転可能な開き戸用ドロップ・ダウン・シールが提供され、ドア底部は：
ドア底部の幅に対応する長さを有するシーリング部材；
ドアが閉められたときに、ドアの敷居に対して前記シーリング部材をシーリング位置の中に垂直に下方へ移動させるための、ドアを閉めることに応答するアクチュエータ；
を備え、アクチュエータは、ドアの底部に隣接して配置可能な溝内部に配置された複数の要素を備え、要素は、溝に沿ってスライド可能な少なくとも１つのスライドブロックを備え、かつ回転可能なアームを有し、アームの一端がＣ字型溝を介してブロックの下面に接続され、アームの他端がシーリング部材に接続され、アームは、ブロックが溝に沿ってある位置までスライドするときに回転可能であり、それによって、アームは、ブロックおよびシーリング部材の間に下方へ伸び、それによって、使用中に下方への圧力をシーリング部材に与え、維持する。
【０００９】
好ましくは、溝は、細長い逆Ｕ字型ハウジング内部に形成される。
【００１０】
次に、添付図面を参照して、本発明の実施形態について説明する。
【図面の簡単な説明】
【００１１】
【図１】従来技術のドロップ・ダウン・シールの詳細な斜視図である。
【図２】ドアが開いている間の、使用する前の、本発明に従って構築されたドロップ・ダウン・シールの末端の断面図である。
【図３】ドアが閉められたときの、図２のドロップ・ダウン・シールの末端の断面図である。
【図４】本発明の他の実施形態に従って構築された、ドアが閉められる前のドロップ・ダウン・シールの末端の断面図である。
【図５】使用中のドロップ・ダウン・シールの側面の断面図である。
【図６】使用中のドロップ・ダウン・シールの側面の断面図である。
【図７】本発明の他の実施形態に従って構築されたドロップ・ダウン・シールのアーム形成部分の平面の断面図である。
【図８】本発明の他の実施形態に従って構築されたドロップ・ダウン・シールのアーム形成部分の側面の断面図である。
【発明を実施するための形態】
【００１２】
ドロップ・ダウン・シールの主要な要素が、（特に前述の説明で明らかにされた）従来技術の形で示されている。
【００１３】
前述の説明は、このようなシステムの改善だけを説明する。
【００１４】
図１は、従来技術の自動ドア底部ドロップ・ダウン・シール機構を示す。機構は、ドアの底部に取り付けるための主要な細長い逆Ｕ字型ハウジング１０を備える。ハウジング１０の内部には、一方のスライドブロックおよび一方の固定ブロックに固定して取り付けられた平坦な板ばね部材１８を備える、相互接続されたスライドするブロックおよび固定されたブロック１４、１６を有する溝１２が配置される。「スライドブロック」により、溝１２内部でスライド可能なブロックを意味する。スライドブロック１４は、溝に沿ってスライドし、平坦な板ばね部材１８を下方へ屈曲させて、シーリング部材２０を下に押しつけさせる。
【００１５】
図２および図３は、本発明に従って構築されたシール組立の末端の断面図を示す。シール機構は、主要なハウジング２２を備え、主要なハウジング２２は、ドア（図示せず）の底部上に配置される、またはドアの底部内に形成された凹所内部に配置されてもよい。主要なハウジング２２は、代わりに、ドア底部の背面に固定されてもよい。
【００１６】
ハウジング２２は、逆Ｕ字型セクションとして形成され、長手方向の溝２４を規定する。
【００１７】
第１のスライドブロック２６が、ハウジング１０の一端に配置される。ブロック２６は、ドアが閉まるときに作動して、ブロック２６を溝２４に沿ってスライドさせるアクチュエータボタン２８に接続される。
【００１８】
Ｃ字型ブラケット３０が、スライドブロック２６の下面に固定される。
【００１９】
ブラケット３０の各アームが、２つのアームの両端まで伸びるようにピン３２を収容するための、ブラケット３０の前部に配置された開口を有する。
【００２０】
アーム３４は、ブラケット３０に接続され、ピン３２が通過する開口を有し、その結果、アーム３４は、ピン３２を中心にして回転可能であり、回転中心点は、ブロック２６の垂直な前縁の前方にある。アーム３４の他端が、同じ方法で、または類似する方法で、シーリング要素３６に固定される。図２は、ハウジング２２内部の閉位置にあるシーリング要素３６を示す。
【００２１】
シーリング要素３６は、ゴム製のシール４０を保持している細長いブレード３８を備える。
【００２２】
シーリング要素３６は、任意の代わりの形状でもよい。代替の一実施形態では、ブレード３８は存在しない。
【００２３】
ドアを閉めることで起動されるアクチュエータボタン２８の押し下げにより、アーム３４はブラケット３０に対して下方へ回転させられ、次に、ブレード３０は、シーリング要素３６に対して下方への動きを与える（図３で理解することができる）。
【００２４】
図４に示す実施形態では、スライドブロック２６は、調節可能なねじ４２を介してアクチュエータボタン２８に接続される。
【００２５】
次に、図５および図６を参照すると、スライドブロック２６はまた、コイルばね機構４４および接続金属ロッド４６に固定される。アクチュエータボタン２８の押し下げにより（ドアが閉められたときに自動的に行われる）、スライドブロック２６および接続ロッド４６は溝２４に沿って押し出される。
【００２６】
スライドブロック２６の水平移動が、アーム３４を回転移動させることにより、ブレード３８に下方への圧力を与える。スライドブロック２６が溝２４に沿ってスライドするとき、ピン３２を接続しているブラケット３０の側面がブッシュを形成し、アーム３４を下方へ、ほぼ垂直な位置まで回転させるブッシュの役割を果たす。
【００２７】
シーリング要素３６が、ハウジング２２の長手方向の軸に対して固定されたままでいるとき、アーム３４をほぼ垂直な向きまで回転させることにより、下方への圧力がシーリング要素３６に直接与えられ、シーリング要素３６はハウジング１０から下方へ変位させられ、それにより、シーリング要素（アルミニウムブレード３８およびゴム製のシール３０を備える）を床に押しつけて、シーリング要素３６全体にわたり強力な音響シールを提供する。
【００２８】
アーム３４は、ハウジング２２内部の溝２４の内寸より少し小さなサイズを有する。好ましくは、アームの長さは、ピタゴラス三角形の第３の辺、すなわち最も長い辺と等しくなるように計算され、高さの寸法も長さの寸法も、同じ長さになる。
【００２９】
溝２４内の各スライドブロック２６は、関連するアーム３４および接続剛体ロッド４６を有する。ロッド４６は、シール機構の全長にわたってデイジーチェーンにすることができる。
【００３０】
ドロップ・ダウン・シール機構内部に４つのブロック要素を有することが一般的である。スライディング機構は、シーリング要素３６の垂直移動距離を調節することができるように、調節可能である。
【００３１】
第１および第３のブロック２６Ａ、２６Ｂは、溝に沿ってスライド可能であり、詳述したように、回転可能なアーム３４を有し、第１のブロック２６Ａの動きが、今度は第３のブロック２６Ｂに対して動きを与えるように、ロッド（図示せず）を介して一緒に接続される。
【００３２】
その他の２つのブロック４８は、所定の位置に固定される。第１および第３のブロック２６Ａ、２５Ｂに固定して取り付けられた平坦な板ばね部材５０は、たとえばブロック２６の各対の間に伸びる。固定されたブロック４８は、平坦な板ばね部材５０を下方へ屈曲させるが、シーリング部材３８に対して下方への動きを与えない。平坦な板ばね部材５０は、シーリング機構３８に曲げやすいように取り付け可能にする、くぼみのある中央セクションを有する。
【００３３】
アーム３４の下方への動きは、平坦な板ばね部材５０を制御して、平坦な板ばね部材５０が通常、与えるよりも大きな下方への力を生成し、次いで、シーリング要素３６を所定の位置に保つようにその力を保持する。平坦な板ばね部材５０は、ドアが開けられたときに、静止するようにこの機構を戻す手助けをする。
【００３４】
代替の一実施形態では（図示せず）、第１および第３のブロックは、依然としてスライド可能であり、第２および第４のブロックは、溝内部に固定されたまままである。
【００３５】
この実施形態では、別の１つまたは複数のロッドが第１のブロックから、第４のブロックまで、および第４のブロックを越えて伸びる。ロッドの一端が、機械的手段により第１のブロックに固定される。ロッドは、第２、第３および第４のブロック内に形成された中央の長手方向の穴または溝を通過する。隣接する各ブロック間にコイルばねが提供される。ロッドはまた、各ばねに通される。
【００３６】
圧力を受けて、ロッド機構における、第１および第２のブロックならびに第３および第４のロッドの間のばねが縮められ、水平方向に屈曲し、シールゴムを備える底部ブレードが後方へ起き上がることが可能になる力を確保する。ボタンが完全に押されることにより、動きが停止したとき、ブレードは、下方への圧力を床／敷居表面に加え、ゴム製のシールを、シールを形成する表面に対して押しつける。ボタンが解放されたとき、すなわち、ドアが開けられたとき、ばねは引っ込み、何もかもが水平位置まで後方へ戻り、１つまたは複数のアームがそれに続く。ブレードは完全に引っ込み、再度使用する準備が整っている。
【００３７】
図７および図８は、本発明の他の一実施形態のポリプロピレン製アーム形成部分を示す。この実施形態では、ブラケット、ピンおよびアームの構成は、合成材料組立により置き換えられている。合成材料は、ポリプロピレンでも、類似の材料でもよい。
【００３８】
上述の本実施形態のスライドブロック２６は、可撓性のある熱可塑性エラストマー（Ｔｈｅｒｍｏ  Ｐｌａｓｔｉｃ  Ｅｌａｓｔｏｍｅｒ、ＴＰＥ）ジョイント５６、５８により分離される２つのセクション５２、５４を備えるポリプロピレン製アームにより置き換えられる。アームは他の合成プラスチック材料から作ることができる。
【００３９】
アーム組立は、一体成形組立として射出成形することができる。ＴＰＥジョイント接続は、アームセクションが非常に堅牢でありながら屈曲できるようにし、アームセクションが非常に裂けにくく、または非常に破れにくくする。アーム組立は、最大の可撓性を提供し、シーリング要素３６の下方への圧力が、６ｍｍ〜７ｍｍまでの平坦でない床を補償することができるようにする。一方のアームセクションの圧縮が停止した場合、他方のアームセクションを、依然として圧縮することができ、そのアームがその所望の深さに到達することができるようになる。可撓性のあるＴＰＥジョイントにより、アーム組立は、圧縮されたり、伸びたりすることができるようになり、平坦でない床の条件を許容する。
【００４０】
合成プラスチック材料のアーム組立の上部は逆Ｕ字型セクションとして形成される。
【００４１】
この押出成形されたアーム組立の上面は、スライドブロック２６を置き換えて、Ｈ字型ブラケットの前縁の前に回転中心点を有する。
【００４２】
この組立は、組立の前部に配置された合成材料ブロックとつながっている強固な成形ジョイントを有し、アームセクションが下方へ屈曲することができるようになる。
【００４３】
アーム（上記のアーム２６）の下端は、同じまたは類似の方法で、ねじ機構によりシーリング要素３６に固定された水平ブロックセクションに固定され、シーリング要素３６は閉位置にある。
【００４４】
自動ドロップ・ダウン・ドア底部シールシステムの全体的性能は、上記の装置により以下のように強化される：
ｉ）ドアが外側に開かれ、装置は正常に挿入される、またはドア底部の背面に取り付けることができる；
ｉｉ）ドアが閉まったとき、ボタンはドアの枠を押す；
ｉｉｉ）ボタンは、保持溝に沿って水平方向に徐々にスライドし、第１および第３のブロックを保持溝に対して押す；
ｉｖ）この圧力を受けて、アームの制御により、機構における平坦な板ばねが下方へ偏向し、シールゴムを中に備える底部ブレードを下方へ沈ませる；
ｖ）アームは、ほぼ４５°〜実質的に垂直まで動くシーリング部材の動きを制御する；
ｖｉ）組当てられた状態で、ドロップ・バー・シーリング要素は、Ｕ字型溝要素内で完全に静止している；
ｖｉｉ）アームは、修正されていない装置が加えることができるよりもはるかに大きな、持続可能で等しい、下方への力をさらに生成する。これにより、ゴム製のシールは、収容する面に均等に押しつけられ、この圧力が、ドアが閉められたままであるかぎり、すなわちボタンに圧力がかけられている間、維持されることが可能になる。別のゴム製のシールを、全体的性能を高めるために使用することができ、別の用途で使用することができる。これらのゴム製のシールは、柔らかいゴム製のシールから、シール要素を形成するためにより深い構造を有するものもあるより堅いゴム製のシールまで、多岐にわたることができる；
ｖｉｉｉ）アームにより加えられる下方への力は、性能を著しく高め、既存の自動ドロップ・ダウン・ドア底部シール装置の音響エネルギー保存およびほこりからの保護を向上させることができる；
ｉｘ）アクチュエータのボタンが解放されたとき、すなわち、ドアが開けられたとき、平坦な板ばねは、何もかも引っ込めて水平位置まで戻し、アームがそれに続くように手助けをする。ブレードは完全に引っ込み、再度使用する準備が整っている；
ｘ）アームは、シーリング要素が、平坦でないおよび／または傾斜したドアの敷居構成に対して自己水平化シーリングを可能にする独特の特徴をシールに与える。
【００４５】
前述のことは、実施形態の単なる例であり、かつ実施形態の用途のいくつかの例でしかないことを理解されよう。本発明の真の範囲を逸脱することなく、これらの実施形態に修正を行うことができることを熟練した読者は容易に理解されよう。
【図２】
2013536909.tif 000003
【図３】
2013536909.tif 000004
【図４】
2013536909.tif 000005
【図５】
2013536909.tif 000006
【図６】
2013536909.tif 000007
【図７】
2013536909.tif 000008
【図８】
2013536909.tif 000009
【図１】
2013536909.tif 000010
【国際調査報告】
2013536909.tif 000011
2013536909.tif 000012
2013536909.tif 000013
2013536909.tif 000014
2013536909.tif 000015